(57)【要約】      （修正有）【課題】リリースのときに、親指を痛めずに、ボールの回転を抑制しないボウリングボールを提供する。【解決手段】ボウリングボールの親指穴２に関するもので、ボウリングボールに穿設した装填穴１ａ内に、親指を差し入れる親指穴２を有するリング１２等である装填されるリングを、深さ方向を縦軸として摺動自転自在に設けてボウリングボールを形成する。リング１２の下端に経大の環条縁１２０を設け、前記リング１２の環状縁に係止するリング１１をリング１２の胴部に外嵌してそのリング１１を装填穴１ａ内に接合固着して、前記リング１２を自転自在に支承している。【選択図】図３
0003179696.tif 000002
【実用新案登録請求の範囲】
【請求項１】
ボウリングボール（１）の  装填穴（１ａ）内に、深さ方向を縦軸として摺動自転しかつ親指を差し入れる親指穴（２）を有するリング（１２）（１４）（１５）である自転自在に装填されたリング（１０ａ）を設けたことを特徴とするボウリングボール。
【請求項２】
ボウリングボール（１）の装填穴（１ａ）内に、深さ方向を縦軸として自転自在に設けられかつ親指を差し入れる親指穴（２）を有するリング（１２）を設け、そのリング（１２）を前記装填穴（１ａ）内に自転自在に装填された状態で維持する装着手段（１０ｂ）とで構成されたインサート（１０）を設けていることを特徴とするボウリングボール。
【請求項３】
前記親指穴（２）を有するリング（１２）を装填穴（１ａ）内に自転自在に装填された状態を維持する装着手段として、リング（１２）の下端に環条縁（１２０）を設け、前記リング（１２）の環状縁（１２ａ）を係止するリング（１１）をリング（１２）に外嵌してそのリング（１１）を装填穴（１ａ）内に接合固着し、前記リング（１２）を自転自在に支承したことを特徴とする請求項２に記載のボウリングボール。
【請求項４】
前記リング（１２）の上方開口縁を傾斜曲面に形成したことを特徴とする請求項３に記載のボウリングボール。
【請求項５】
前記リング（１２）は、内面（１２ａ）と外面（１２ｂ）が異なる材質で形成されたことを特徴とする請求項１〜請求項４のいずれかに記載のボウリングボール。
【考案の詳細な説明】
【技術分野】
【０００１】
本考案は、ボウリングゲームに使用するボウリングボールに関する。
【背景技術】
【０００２】
ボウリングゲームとは、プレイヤーに対して頂点を向けて正三角形に並べられたレーン上の１０本のピンをめがけて図８のようなボールを転がし、ピンを倒して得点を争うスポーツである。
そのすべての使用用具には、スポーツ競技団体（例：公益財団法人 全日本ボウリング協会  社団法人 日本プロボウリング協会）や所属団体が認める規定がある。
【０００３】
例えば、ボウリングボールには、円周は２７インチ（６８．５８ｃｍ）以内、重量は１６ポンド（７．２６ｋｇ）まで、直径は一様、真球度、材質（非金属配合材質）、硬度（ボールの表面硬度は、室温摂氏２０度〜２５度で、デュロメーターＤの硬度計により計られ、その硬度は７２度以上）、ホール（サムホール  フィンガーホール  エキストラホール、ベンチングホール）の数、全体のバランス、について協会等で規約を定めている。
公式の試合では、当該所属団体の認める用具（レーン・ピン・ボール等）で行われる。
【０００４】
このボウリングボールには、ボールを掴んで投げるための親指穴や中指穴、薬指穴が円筒状に穿設されている（図８）。
マイボールでは、親指穴や中指穴、薬指穴の位置や径は、プレイヤー（使用者）の手に合わせて形成される。
ハウスボールといわれるボウリング場の備品ボールでは、プレイヤーは、自分の手や指に合うボールを探すことになる。
【０００５】
プレイヤーは、親指穴に入れた親指一本で引っ掛けておき、中指穴、薬指穴に差し込んだ中指と薬指とで押し出し或いは回転を与えた瞬間に抜いてリリースするので、親指穴（サムホール）はある程度の引っ掛かりを必要とし、フィット感が強く求められる。
図９は、従来の親指を差し込む穴の断面図であるが、市販では単に垂直に真っ直ぐに穿設されたものが多い。
その引っ掛かりを形成するために、次のような先行技術が開示されている。
しかし、引っ掛かると、回転力を減衰阻害することにもなるので、その引っ掛かりは微妙に調整する難しさがある。
【先行技術文献】
【特許文献】
【０００６】
【特許文献１】特許公開２００９−５６０２１「ボウリングボール」
【特許文献２】特許公開平１１−２８２５９「ボウリング用ボールおよびサム・ホルダー着脱用工具」
【特許文献４】米国特許第５５３６２１２号「ボウリングボール用調節用親指穴挿入体」
【特許文献５】米国公開特許２００３／０１９５０５１「調節可能なグリップボウリングボールキット」
【０００７】
先行技術をみると、親指穴の内部構成に関しては、プレイヤーの親指に如何にフィットするかの課題に開発目的がおかれている。
【考案の概要】
【考案が解決しようとする課題】
【０００８】
本考案の解決しようとする課題は、以下の通りである。
（１）ボウリングの投げ方は、第一ステップはプッシュアウェイ（ボールの振り子運動のきっかけ）、第二ステップはダウンスイング、第三ステップでは図７のようにバックスイングをする。最後の第四ステップでは、ボールをレーンへ投げるフォワードスイングをする。
これらのスイング中は、ボールをしっかり掴んでおくことが必要である。
親指穴には親指一本で引っ掛けておき、中指穴、薬指穴に差し込んだ中指と薬指とで掴み、振り子運動のパワーをボールに伝え、スイング中は抜け飛ぶことがない状態で掴んで、ボールの向きを制御決定しリリース方向を定める。
プレイヤーの親指にフィットすることが投球方向決めに有効であるので、親指穴は親指にフィットすることが課題である。
【０００９】
（２）しかも、親指穴の親指は、中指穴に差し込まれた中指と薬指穴に差し込まれた薬指のパワーによる押し出し或いは回転を与えられた瞬間に抜いてスムースにリリースすることが大切である。
この押し出し力や回転力を、減衰や阻害することなく方向を定めた親指をスムースに抜いてリリースすることが必要である。
【００１０】
近時は、フックボールやカーブボールに人気があり、ボールの持ち方もコンベンショナルグリップ、セミフィンガーグリップ、フルフィンガーグリップと多様で、深く指を差し込んでより強い回転をかけたフックボールを投げたいという人も多い。
その場合はリリースの際に親指を先に抜くが、ボールの親指穴が曲がるようにして、親指を抜いた後に、中指と薬指にボールを乗せてリリースするなどのコツがあるが、その抜くタイミングのずれは親指に大きな負担をかけてしまう。
親指がボールから離れるとき、回転力を減衰することなしに抜き出すことができれば、意図する投球ができる。
また、抜くタイミングがずれてしまうと親指を痛めることもある。
回転力が親指に負担をかけるからである。
親指穴の適度なフィットと、抜くタイミングを逸しない構造、回転力を減衰しない構造が課題である。
【００１１】
ボウリングボールは、投球技術の進歩とともに、回転力を付勢しながら投球してもリリースのタイミングが取りやすい  ホール構成が要請されてきている。
【００１２】
親指穴は、後付加工で形成することができることも要請される。
マイボールの親指穴の調整は、実際は使用して初めてバランス調整ができるものであり、ボールをある程度使用した後に行う調整加工の要請は根強くある。
このような加工では、なるべく現場作業が簡易で短時間でできるものが好ましい。
【課題を解決するための手段】
【００１３】
本考案は、親指を痛めず、かつ投球動作中にボールの回転を減衰することなくリリースできる親指穴の構造を提案するものである。
【００１４】
この目的及び前記課題を解決するために、本考案の請求項１では、
ボウリングボール（１）の装填穴（１ａ）内に、深さ方向を縦軸として摺動自転自在でかつ親指を差し入れる親指穴（２）を有するリング (１２）（１４）（１５）である自転自在に装填されたリング（１０ａ）を設けた構成のボウリングボールを提案する。
【００１５】
摺動自転とは、内孔略真円形の筒体である固定リング内部に、外周面が略真円形のリング（１２）（１４）（１５）が、前記固定リングの略真円形内部空間にあって、その外周面を固定リングの内孔面に微細な隙間（２０）をもって装填されていて、略真円形の内孔面に摺接して可動に遊嵌している構成によって自転自在に装填されていることを言う。
【００１６】
この隙間（２０）が微細であると摺接面はほぼ真空状態に近くなり収まって抜けにくくかつ自転自在となる。
この隙間設計では、後述する装着手段（１０ｂ）（前記装填穴内に自転自在に装填された状態でリングを維持する装着手段）の省略も想定でき、請求項１ではリングの維持装着手段のない構成も含む。
隙間（２０）は、真円形に近い軌道で自転自在する空間であれば良い。
請求項１を実施する形態として実施例１〜３を開示する。
【００１７】
請求項２は、その実施例１の具体的構成で、深さ方向を縦軸として摺動自転しかつ親指を差し入れる親指穴（２）を有するリング（１２）を脱落しないように装着手段と組み合わせた構造とするインサートとしたものである。
請求項２は、ボウリングボール（１）の装填穴（１ａ）内に、深さ方向を縦軸として自転自在に設けられかつ親指を差し入れる親指穴（２）を有するリング（１２）を設け、そのリング（１２）を前記装填穴（１ａ）内に自転自在に装填された状態で維持する装着手段（１０ｂ）とで構成されたインサート（１０）としたボウリングボールで、装着手段（１０ｂ）の存在を要件としたものである。
【００１８】
請求項３は、前記親指穴（２）を有するリング（１２）を装填穴（１ａ）内に自転自在に装填された状態を維持する装着手段として、リング（１２）の下端に環条縁（１２ａ）を設け、前記リング（１２）の環状縁（１２ａ）に係止するリング（１１）を前記リング（１２）に外嵌してそのリング（１１）を装填穴（１ａ）内に接合固着し、前記リング（１２）を自転自在に支承したことを特徴とするボウリングボールである。
実施例１に相当する。
【００１９】
請求項４は、親指を挿入抜出しがスムースになるように、親指穴の上方開口縁を傾斜曲面に形成したものである。
【００２０】
請求項５は、自転自在のリングの外面は固定リングと摺接するために合成樹脂では比較的硬質な素材で作成するが、親指が入る親指穴の内面は、フィット感が要請されるので、プレイヤーの親指に従来公知の加工しやすい素材を用いたもので、前記リング（１２）の内面（１２ａ）と外面（１２ｂ）が異なる材質で形成されたことを特徴とする請求項１〜請求項４のいずれかに記載のボウリングボールである。
【考案の効果】
【００２１】
本考案は前記の構成であり、次の技術的効果がある。
Ａ：親指穴を自転する穴として構成したので、ボールをリリースする瞬間に付与される回転を、親指で止めることなく、減衰しないで、ボールは回転していても親指を抜くことができる。
ボールは、掴んでいるときはしっかり掴め、十分なひねり回転やスピードを付勢されてスィングされ、リリースの瞬間はボールがその回転をそのままにして親指が抜けてゆく。
ボール全体がひねり回転した瞬間に、親指はその姿勢を自転するリングでそのままに維持しながらも、自転するリングは、ボールのひねり回転とは連動しないで親指の姿勢を独立させるので、ボールの回転を阻害しないのである。
つまり、親指穴の自転作用は、ボールのひねり回転に影響されないで親指の抜き出しがスムースに行えることになる。
しかも親指穴にはしっかり親指がフィットしている。
親指の自転角度は、ボールのリリ−スでの瞬時であるので、自転は一回転とか１８０度回転という大きな角度ではない。
小さな角度だけ瞬時自転することで、ボールに影響を与えないことができる。
【００２２】
Ｂ：摺動自転しかつ親指を差し入れる親指穴を有するリングを脱落しないように装着手段と組み合わせた構造としたインサートでは、部品として微細な加工を工場で作成できる。
略真円形の加工は工場で行い、親指穴の加工と装填固着作業になるので現場作業が軽減できる。
【００２３】
リングを脱落しないようにする装着手段と組み合わせたインサートは、量産も可能である。
【００２４】
本考案のボウリングボールの親指穴は、後付加工もできるし、親指穴をよりフィットするように指面に合わせて加工することも可能である。
【００２５】
プレイヤーは、投球練習やフィット感の習得のために、ボールを何度も握り、掴み、指を入れて投球動作を反復し、投球する。
多数回の投球動作を繰り返すと、親指、中指、薬指には、大きな負担がかかる。
本考案では、ひねり回転で受ける親指の擦過や、抜き出すときの反作用による親指穴との摩擦などを限りなく少なくできるので、親指の損傷を未然に防止できる。
【図面の簡単な説明】
【００２６】
【図１】本考案に係るボウリングボールの実施例１を示す斜視図であって、親指穴を備えたインサートを装填した状態を示している。
【図２】同じく本考案に係るボウリングボールの実施例１を示すもので、インサートの拡大斜視図である。
【図３】同じく本考案に係るボウリングボールの実施例１を示すもので、リングとそのリングが抜けないように装着する手段（固定リング等）からなるインサートと、そのインサートを装填するボールを示す分解斜視図である。
【図４】本考案に係るボウリングボールの実施例２を示すもので、リングが抜けないように装着する手段としてキャップリングを設けたインサートを装填した状態の一部拡大断面図である。
【図５】本考案に係るボウリングボールの実施例３を示すもので、止めピンで自転自在に有底筒体のリングを装填した状態の一部拡大斜視図である。
【図６】本考案に係るボウリングボールの実施例１のインサートの部品を示すもので、内面と外面の材質が異なるリングの断面図と固定リングの断面図と、組み合わせた状態の断面図である。
【００２７】
【図７】ボーリングプレイヤーがボールをバックスイングした状態を示すものである。この後にフォワードスイングをして、ボールをリリースする。この時の親指は親指穴にしっかりと嵌ってボールを掴んでいる。
【図８】従来の一般的なボウリングボールの斜視図である。
【図９】従来の一般的なボウリングボールの親指穴の断面図である。
【考案を実施するための形態】
【００２８】
本考案に係るボウリングボールを実施するための最良の形態を説明する。
最良の形態は、ボールの所定位置に自転自在の親指穴を構成することである。
ボウリングボール（１）の装填穴（１ａ）内に、親指を差し入れる親指穴を有する自転自在なリング（１０ａ）を設けた構成である。
【００２９】
リング（１０ａ）は、円筒体で、摩擦に強い真円形の外周面をもち、内周面は親指にフィットする径と深さと内面形状と指先との好接触感をもった親指穴を備え、縦方向（深さ方向）の中空中心を縦軸として真円・略真円に自転する。
装填穴（１ａ）は略真円であり、そこに入るリング（１０ａ）はその真円穴内面に沿って自転する。
装填穴（１ａ）の内径Ａとそこに入るリング（１０ａ）の外径Ｂは、Ａ＞Ｂの関係で、その間には微細な隙間がある。
【００３０】
親指穴を備えたリング（１０ａ）は、自転自在に収納する装填穴（１ａ）から容易には抜け出ないことが好ましい。
【００３１】
次にこの考案にかかるボウリングボール（１）について、添付した図面に示す実施例に基づいて説明する。
【実施例１】
【００３２】
図１  図２、図３、図６は、本考案に係るボウリングボールの実施例１を示すものである。
【００３３】
実施例１は、図に示すように、ボウリングボール（１）の装填穴（１ａ）内に、深さ方向を縦軸として摺動自転自在でかつ親指を差し入れる親指穴（２）を有するリング (１２）を設けた構成のボウリングボールである。
【００３４】
リング (１２）は、外周面が略真円形である。
リング（１２）は、固着されるリング（１１）内部に装填されている。
リング（１１）は、内孔略真円形の両端を開口した筒体であり、装填穴（１ａ）内に接合固定される。
略真円形のリング（１２）は、固定したリング（１１）の略真円形内部空間にあってその外周面を内孔面に微細な隙間（２０）をもって装填されていて、略真円形の内孔面に摺接して可動に遊嵌される。
可動に遊嵌されているので、リング（１１）は真円形の内孔面に摺接して自転自在である。
【００３５】
繰り返すと、内孔略真円形の筒体である固定リング（１１）内部に装填される外周面が略真円形のリング（１２）が、固定リング（１１）の略真円形内部空間にあってその外周面を内孔面に微細な隙間（２０）をもって摺接するかしないかのスタンスで装填されていて、略真円形の内孔面に可動に遊嵌している構成によって自転自在に装填されている。
【００３６】
この隙間（２０）が０，１ｍｍ程度の微細であると摺接面はほぼ真空状態に近くなり収まって抜けにくくかつ自転自在となる。
この隙間（２０）の設計で、リング（１１）のような装着手段（１０ｂ）（装填穴内に自転自在の状態でリングを維持する装着手段）の省略も可能である。
【００３７】
実施例には示していないが、装填穴（１ａ）を真円穴として、これに親指穴（２）を有する幅の狭いリングを、直接に挿嵌して、隙間（２０）を微細にすることで、真円形に近い軌道で自転自在にする構成もある。
微細な隙間空間の設計と深さの調和が必要である。
このようなリングは、それを指に嵌めることで、そのリングを自転自在に挿入でき、かつその状態でボウリングボールをリリ−スする瞬間にそのリングを親指に嵌めたまま引き出す用法もあり得る。
【００３８】
実施例１は、深さ方向を縦軸として摺動自転しかつ親指を差し入れる親指穴（２）を有するリング（１２）を脱落しないように装着手段（１０ｂ）と組み合わせた構造とするインサート（１０）としたものである。
ボウリングボール（１）の装填穴（１ａ）内に、深さ方向を縦軸として自転自在に設けられかつ親指を差し入れる親指穴（２）を有するリング（１２）を設け、そのリング（１２）を前記装填穴（１ａ）内に自転自在に装填された状態で維持する装着手段（１０ｂ）とで構成されたインサート（１０）としたボウリングボールである。
【００３９】
リング（１２）を装填穴（１ａ）内に自転自在に装填された状態を維持する装着手段（１０ｂ）として、リング（１２）の下端に経大の環条縁（１２ａ）を設け、前記リング（１２）の環状縁（１２ａ）を係止するリング（１１）を前記リング（１２）に外嵌してそのリング（１１）を装填穴（１ａ）内に接合固着し、前記リング（１２）を自転自在に支承している。
略真円形のリング（１２）の胴部分は、固定したリング（１１）の略真円形内部空間にあってその外周面を内孔面に微細な隙間（２０）をもって装填されている。
このリング（１２）の胴部分と固定したリング（１１）との隙間（２０）は、極めて微細で、０，０１〜０，５ｍｍ程度である。
このとき、環条縁（１２ａ）の外周と装填穴（１ａ）の内面とは、少し広めの隙間（０，５ｍｍ）を形成している。
この部分は摩擦なく自転できる設計である。
【００４０】
実施例１では次のサイズで設計実施した。
装填穴（１ａ）は、直径３５ｍｍ  深さ６４ｍｍ。
リング（１１）は、全長（高さ）５４ｍｍ、外径（直径）３５ｍｍ、  孔直径３０ｍｍ、肉厚２．５ｍｍ．
自転自在なリング（１２）は、全長（高さ）６４ｍｍ、環条縁（１２ａ）の外径（直径）３４ｍｍ、環条縁（１２ａ）の高さ１０ｍｍ、リング胴部外径（直径）３０ｍｍである。親指穴となる内孔直径を２４ｍｍとした。
親指穴となる内孔直径ハ、プレイヤーの指に合わせた寸法に加工される。
親指穴（２）は、最終的にはプレイヤーの親指にフィットするように削られる。
この寸法は、あくまで実施例１の寸法で、本考案の大きさはこれに限定されるものではない。
【００４１】
図６では、リング（１２）は、その内面（１２ａ）と外面（１２ｂ）が異なる材質で形成していることを示しており、親指穴の寸法が後加工でもできるようにし、かつ外周は硬質材で形成して摩耗を防止している。
さらに上方開口縁は傾斜して、親指の出し入れに引っ掛かりがないように開口縁を傾斜曲面や湾曲角丸にしている。
【実施例２】
【００４２】
図４は、実施例２を示す断面図である。
装填穴（１ａ）を真円穴として、これに親指穴（２）を有するリング (１４）を、直接に挿嵌して、隙間（２０）を微細にすることで、真円形に近い軌道で自転自在にしたもので、リング (１４）は、その内面（１４ａ）と外面（１４ｂ）が異なる材質で形成しており、さらに装填穴（１ａ）内に自転自在の状態でリング（１４）を維持する装着手段（１０ｂ）として、キャップリング（１３）を設けたものである。
【００４３】
ボウリングボールでは表面に突起物は形成できないので、キャップリング（１３）は、装填穴（１ａ）の上部に経大の穴を削り、そこに埋め込むように固定している。
キャップリング（１３）とリング（１４）には隙間（２０）があり、リング（１４）は固定されず自転自在に内嵌されている。
キャップリング（１３）の開口縁は傾斜していて、親指の出し入れに引っ掛かりがないようにしている。
【実施例３】
【００４４】
図５に示す本考案に係るボウリングボールの実施例３について説明する。
実施例３は、変形例で、有底のリング（１５）を止めピン（１６）で自転自在に埋め込んだものである。
装填穴（１ａ）を略真円穴として、これに親指穴（２）を有する有底のリング (１５）を、直接に挿嵌して、底の中心に孔を設け止めピン（１６）で自転自在にして係止したものである。
有底のリング (１５）は、その周囲に微細な隙間を形成しているが、底裏にはベアリング（１７）を挟んで自転自在にしている。
この構成では、止めピン（１６）の取り外しで部品交換が可能である。
分解清掃も可能である。
親指穴（２）を有する有底のリング (１５）は、止めピン（１６）として金属ピンなどを使用した時は新規な構造であるので、試合などで使用する場合は所属団体の認可を要することがある。
【００４５】
以上の実施例１・２・３はあくまで一例であり、寸法、素材、などはこれに限定されるものではない。
【産業上の利用可能性】
【００４６】
本考案は、ボウリンボールに関するものであるが、怪我や親指を痛めることは遊びや練習時に多く、公式ゲーム用に限らず、スイング練習用のボールに使用して、親指の損傷を未然に防止することができる。
【符号の説明】
【００４７】
１      ボウリングボール本体
１ａ    装填穴
１０    インサート
１０ａ  自転自在に装填されたリング
[リング（１２）、リング（１４）、リング（１５）を含む概念] 
１０ｂ  装填穴（１ａ）内に装填されたリング（１０ａ）を自転自在に維持する装着手段
[固定リング（１１）、キャップリング（１３）  止めピン（１６)を含む概念]  
２０    隙間
２      親指穴
３      中指穴
４      薬指穴
１１    リング（固定するリング）
１２    リング（自転するリング）
１２０  環状縁
１２ａ  リング内面
１２ｂ  リング外面
１３    キャップリング
１４    リング（自転するリング）
１４ａ  リング内面
１４ｂ  リング外面
１５    リング（自転するリング）
１６    止めピン  （自転自在に支承する止めピン）
１７    ベアリング
【図１】
0003179696.tif 000003
【図２】
0003179696.tif 000004
【図３】
0003179696.tif 000005
【図４】
0003179696.tif 000006
【図５】
0003179696.tif 000007
【図６】
0003179696.tif 000008
【図７】
0003179696.tif 000009
【図８】
0003179696.tif 000010
【図９】
0003179696.tif 000011